(57)【要約】【課題】睡眠改善効果を有する繊維構造体及びその製法を提供すること。【解決手段】セドロールを含有することを特徴とする睡眠改善効果のある繊維構造物、又は、セドロールの含有量は、繊維材料１００重量部に対して、０．０００１〜１．０重量部であることを特徴とする、セドロールは、繊維材料に付着又は吸尽されていることを特徴とする、或いは、セドロールは、多孔質微粒子に担持されていること又はマイクロカプセルに内包されていることを特徴とする睡眠改善効果のある繊維構造物及びその製法などを提供した。【選択図】なし【特許請求の範囲】
【請求項１】
セドロールを含有することを特徴とする睡眠改善効果のある繊維構造物。
【請求項２】
セドロールの含有量は、繊維材料１００重量部に対して、０．０００１〜１．０重量部であることを特徴とする請求項１に記載の睡眠改善効果のある繊維構造物。
【請求項３】
セドロールは、繊維材料に付着又は吸尽されていることを特徴とする請求項１又は２に記載の睡眠改善効果のある繊維構造物。
【請求項４】
セドロールは、多孔質微粒子に担持されていることを特徴とする請求項３に記載の睡眠改善効果のある繊維構造物。
【請求項５】
セドロールは、マイクロカプセルに内包されていることを特徴とする請求項３に記載の睡眠改善効果のある繊維構造物。
【請求項６】
さらに、アクリル系樹脂又はポリウレタン系樹脂の少なくとも一種からなる樹脂加工剤を使用することを特徴とする請求項３に記載の睡眠改善効果のある繊維構造物。
【請求項７】
樹脂加工剤の使用量は、繊維材料１００重量部に対して、０．０１〜１０重量部であることを特徴とする請求項６に記載の睡眠改善効果のある繊維構造物。
【請求項８】
繊維材料は、綿、糸、織編物又は不織布であることを特徴とする請求項１〜７のいずれかに記載の睡眠改善効果のある繊維構造物。
【請求項９】
セドロールを、パッド／ドライ法又は染色機を用いた浸漬法により、繊維材料へ付与することを特徴とする請求項１〜８のいずれかに記載の睡眠改善効果のある繊維構造物の製法。
【発明の詳細な説明】
【技術分野】
【０００１】
本発明は、睡眠改善効果を有する繊維構造物及びその製法に関し、さらに詳しくは、セドロールを繊維に付与することにより、睡眠改善効果を有する繊維構造物及びその製法に関する。
【背景技術】
【０００２】
従来から睡眠を改善する効果をもつ成分としては、ラベンダー、ジャスミン、カモミール、サンダルウッドなどの香料が知られ、例えば、オリス系香料、サンダルウッド系香料及びローズ系香料を含む特定の誘眠香料組成物が提案されている（特許文献１参照。）。
また、人の心と体を癒すアロマテラピー効果をもつ芳香成分を付与した繊維製品や布帛も知られ、例えば、アロマテラピー効果を有する天然植物精油を、これと親和性を有する保留剤を介して繊維製品に担持させた、やすらぎのある快適繊維製品（特許文献２参照。）や、芳香剤を含有させてなるセラミック微多孔体をセルロース微粉体に担持させ、前記セラミック微多孔体を、前記セルロース微粉体を媒体として布帛に固着した、熱可塑性重合体繊維からなる芳香性布帛（特許文献３参照。）が提案されている。
【０００３】
ところで、上記の繊維製品や布帛に用いられている芳香成分は、ラベンダーなどの香料であるが、香りには、個々人の嗜好性があるために、香料そのものに睡眠に対する効果があっても、利用を阻害する要因となっており、したがって、無臭の物質で効果がある繊維製品や布帛が望まれている。
また、ラベンダーなどの香料は、使用しているうちに、その香りに慣れてしまい、その効果が弱まっていくという問題点もある。
【０００４】
一方、芳香成分ではなく、略無臭又は微香の物質であるセドロールが、睡眠改善効果を奏することが知られている（例えば、非特許文献１参照。）。
しかし、セドロールを含有させて睡眠を改善する効果をもたせた繊維製品や布帛は、これまで知られていない。
したがって、睡眠改善効果を発揮する繊維製品や布帛が求められている。
【０００５】
【特許文献１】特開平７−３１６５８２号公報（特許請求の範囲等）
【特許文献２】特開２００２−２８５４７１号公報（特許請求の範囲等）
【特許文献３】特開平５−１６３６７６号公報（特許請求の範囲等）
【非特許文献１】第１８回睡眠環境シンポジウム予稿集、「香気成分セドロールの鎮静作用による改善効果」  平成１４年１０月、ｐ．７９〜８０
【発明の開示】
【発明が解決しようとする課題】
【０００６】
本発明の目的は、睡眠改善効果を有する繊維構造体及びその製法を提供することにある。
【課題を解決するための手段】
【０００７】
本発明者らは、前記従来技術の問題点を克服するために鋭意研究した結果、杉やひのきなどの樹木から抽出したセドロールを、生地に付与することにより、繊維に睡眠改善効果を付与し、これを寝装品やパジャマ等に利用することによって、睡眠を改善する効果と、その効果が持続することを見出した。本発明は、これらの知見に基づいて完成するに至ったものである。
【０００８】
すなわち、本発明の第１の発明によれば、セドロールを含有することを特徴とする睡眠改善効果のある繊維構造物が提供される。
また、本発明の第２の発明によれば、第１の発明において、セドロールの含有量は、繊維材料１００重量部に対して、０．０００１〜１．０重量部であることを特徴とする睡眠改善効果のある繊維構造物が提供される。
さらに、本発明の第３の発明によれば、第１又は２の発明において、セドロールは、繊維材料に付着又は吸尽されていることを特徴とする睡眠改善効果のある繊維構造物が提供される。
【０００９】
本発明の第４の発明によれば、第３の発明において、セドロールは、多孔質微粒子に担持されていることを特徴とする睡眠改善効果のある繊維構造物が提供される。
また、本発明の第５の発明によれば、第３の発明において、セドロールは、マイクロカプセルに内包されていることを特徴とする睡眠改善効果のある繊維構造物が提供される。
さらに、本発明の第６の発明によれば、第３の発明において、さらに、アクリル系樹脂又はポリウレタン系樹脂の少なくとも一種からなる樹脂加工剤を使用することを特徴とする睡眠改善効果のある繊維構造物が提供される。
【００１０】
本発明の第７の発明によれば、第６の発明において、樹脂加工剤の使用量は、繊維材料１００重量部に対して、０．０１〜１０重量部であることを特徴とする睡眠改善効果のある繊維構造物が提供される。
また、本発明の第８の発明によれば、第１〜７のいずれかの発明において、繊維材料は、綿、糸、織編物又は不織布であることを特徴とする睡眠改善効果のある繊維構造物が提供される。
一方、本発明の第９の発明によれば、セドロールを、パッド／ドライ法又は染色機を用いた浸漬法により、繊維材料へ付与することを特徴とする第１〜８のいずれかの発明の睡眠改善効果のある繊維構造物の製法が提供される。
【００１１】
本発明は、上記した如く、セドロールを含有することを特徴とする睡眠改善効果のある繊維構造物などに係わるものであるが、その好ましい態様としては、次のものが包含される。
【００１２】
（１）第１の発明において、セドロールは、高純度（例えば、９９％以上）に精製したものであることを特徴とする睡眠改善効果のある繊維構造物。
（２）第８の発明において、繊維材料の素材が、セルロース系繊維、天然繊維、半合成繊維、合成繊維、又はこれらの繊維を二種以上組合せた混紡繊維であることを特徴とする睡眠改善効果のある繊維構造物。
（３）第９の発明において、繊維材料への付与方法は、パッド／ドライ法であることを特徴とする睡眠改善効果のある繊維構造物の製法。
（４）第１〜８のいずれかの発明の睡眠改善効果のある繊維構造物を用いてなる毛布、シーツ、寝装製品（ふとんカバー、枕カバー、枕、ふとん綿等）又はパジャマ。
【発明の効果】
【００１３】
本発明の睡眠改善効果のある繊維構造物は、セドロールを含有することにより、人体に対して鎮静作用やリラックス作用があり、繊維に睡眠改善効果を付与すると共に、多孔質微粒子に担持又はもしくはマイクロカプセルに内包する事により、単にセドロールを繊維に付与したものと比べ、優れた洗濯耐久性を付与するという顕著な効果を奏するし、更に、セドロールを多孔質微粒子に担持したものを用いる方法にいよれば、常温でのセドロールの揮発を顕著に向上させることができ、より少ない量で安価にいセドロールの鎮静効果や睡眠改善効果を発揮させることができる。したがって、睡眠改善効果のある繊維構造物は、種々の用途の繊維製品に用いることができ、例えば、布団カバー、枕カバー、枕や布団綿などの寝装製品、毛布、シーツ、パジャマなどに用いることができる。
【発明を実施するための最良の形態】
【００１４】
以下、本発明について、項目毎に詳細に説明する。
本発明の睡眠改善効果のある繊維構造物は、セドロールを含有することに最大の特徴がある。
【００１５】
１．セドロール
本発明においては、睡眠を改善する効果をもつ成分として、セドロールを用いる。セドロールは、セダーウッド油（又はシダーウッド油）に含有される樹木成分であり、主にセダーウッド油を分留して、再結晶して得ることができる。また、セドロールの物性は、分子量（分子式：Ｃ１５Ｈ２６Ｏ）が２２２、融点が８６℃、沸点が２９５℃（１５０℃＠８ｍｍＨｇ）であり、白色結晶で、有機溶媒には、易溶であるが、水には、ほぼ不溶であり、無臭、或いは極めて弱い針葉樹の木香を有し、セスキテルペンアルコールの一種である。
また、本発明において、用いられるセドロールは、特に限定されず、セダーウッド（又はシダーウッド）から抽出されたもの（セダーウッド油やセドロール）の他、杉や桧などその他樹木から抽出されたもの（例えば、ヒノキ油やセドロール）など、どれを用いてもよい。また、これらの抽出物でも問題ないが、臭いについては、好ましくは高度（例えば、９９％以上）に精製したものが、臭いがなくてよい。
【００１６】
セドロールやセダーウッド油は、セッケンや洗剤香料などの保留剤として用いられることが知られている。本発明においては、セドロールを、このような保留剤ではなく、人体の副交感神経系に働き、交換神経系より優位な状態にして、夜間の睡眠や基礎代謝の維持、沈静、リラックス時などに優位な状態になり、睡眠改善効果を発揮させるものとして、用いるところに特徴がある。本発明において初めて、セドロールを布帛や繊維構造物に含有させてシーツ、カバー等の寝装品やパジャマに使用したところ、睡眠改善作用や鎮静作用を有し、睡眠改善効果を発揮するものとして有用であることを見出したものである。特に、高純度化し、微香化や無臭化することによって、かぎ慣れによる効果の低下が生じにくくなる。
【００１７】
本発明の睡眠改善効果のある繊維構造物において、セドロールの含有量は、繊維材料１００重量部に対して、０．０００１〜１．０重量部が好ましい。含有量が０．０００１重量部未満であると、睡眠改善効果がなく、一方、１．０重量部を超えても、含有量に見合う効果が発揮されない。
【００１８】
２．繊維構造物
本発明の睡眠改善効果のある繊維構造物において、用いられる繊維材料は、特に限定されないが、好ましくは、綿、糸、織編物、不織布などが挙げられる。
また、その繊維素材としても、特に限定されないが、好ましくは、木綿、麻、キュプラ、高強度再生セルロース繊維（例えば、商品名「テンセル」）等のセルロース系繊維、羊毛等の天然繊維、ビスコース、レーヨン、低弾性率レーヨン繊維（例えば、商品名「ポリノジック」）等の半合成繊維、ポリエステル、ポリアミド、ナイロン、ポリオレフィン等の合成繊維、或いはこれらの繊維を二種以上組合せた混紡繊維等が挙げられる。
その繊維素材は、本発明の睡眠改善効果のある繊維構造体の用途に応じて、適宜、選択される。
【００１９】
３．セドロールの固着方法（繊維構造物の製法）
本発明において、セドロールを繊維へ含有させ或いは付与させ、睡眠改善効果のある繊維構造物を得ることができるセドロールの固着方法としては、特に限定されるものではなく、例えば、セドロールを含む液を繊維製品に含浸させ、乾燥させること、パディング→乾燥→ベーキングなどが挙げられる。この際、樹脂加工剤（又はバインダー）を併用するのが、洗濯耐久性の面から好ましい。具体的な方法としては、パッド／ドライ法や、液流染色機、ドラム染色機を用いた浸漬法などが挙げられる。作業性やコストの面でテンターを用いたパッド／ドライ法が好ましい。このようにして、セドロールが繊維に含有され、その形態は、セドロールが繊維に対して強固に付着又は吸尽する。
また、セドロールを繊維の紡糸段階で練り込む方法や、セドロールをスプレー処理して付与する後加工の方法でもよい。
さらに、セドロールを含む樹脂や糊剤を用いて捺染式、コーティング式にて加工し、固着させることもできる。
また、セドロールを担持した多孔質微粒子をパディング式、捺染式、コーティング式等の手法で固着させることもできる。このときセドロールを担持した多孔質微粒子は、媒体にセドロールを溶解し、多孔質体に担持させることによって、作製する。多孔質微粒子は、無機系多孔質微粒子又は有機系多孔質微粒子のいずれでもよいが、シリカが好ましい。
さらに、セドロールを内包したマイクロカプセルをパディング式、捺染式、コーティング式等の手法で固着させることもできる。ここで使用するマイクロカプセルの材質は、特に限定するものではないが、徐放性タイプのもの（例えば、多孔質シリカ等）が好ましい。
【００２０】
パッド／ドライ法とは、繊維に、薬剤又は加工剤を付与するパッド（パッダー）、すなわち布を薬剤に浸漬し均一に絞る工程と、次に乾燥を行う工程とを実施する方法である。一般に、これらの工程を備えた加工機を用いて行うことができる。絞り率は５０〜１５０％、乾燥条件は１００〜１４０℃で３０秒〜３分が好ましい。
【００２１】
また、洗濯耐久性を得るために、セドロールを繊維へ付与する際に、樹脂加工剤（加工薬剤又はバインダー）として、例えば、アクリル系樹脂、ポリウレタン系樹脂等を併用することが好ましい。また、風合調整を行うために、柔軟剤を併用してもよい。
その際、樹脂加工剤の使用量は、繊維材料１００重量部に対して、０．０１〜１０重量部であり、好ましくは、０．０１〜５重量部である。
上記のアクリル系樹脂加工剤としては、具体的に例えば、共栄社化学製の「ライトエポックＴ−２３Ｍ」などがあり、また、ポリウレタン系樹脂加工剤としては、例えば、大原パラヂウム製の「パラゾールＰＮ−１４」、「パラゾールＰＮ−２０」などがある。
尚、洗濯耐久性を得るには、上記のパッド／ドライ法に加えて、さらに、ベーキング、すなわち加工薬剤を熱反応させる工程を行ってもよい。その加工薬剤の反応は、１４０〜１８０℃で３０秒〜５分程度、好ましくは、１５０〜１６０℃で２〜３分程度行われる。
【００２２】
４．繊維構造物の用途
本発明の睡眠改善効果のある繊維構造物は、種々の用途の繊維製品に用いることができ、例えば、布団カバー、枕カバー、枕や布団綿などの寝装製品、毛布、シーツ、パジャマなどに用いることができる。
【実施例】
【００２３】
以下、本発明について実施例を挙げて、さらに詳細に説明するが、本発明は、これらの実施例に特に限定されるものではない。
【００２４】
［実施例１〜５］
試料繊維（生地）として、綿１００％の５０番平織物（経糸密度１４８本／インチ、緯糸密度８０本／インチ）を用いた。
また、セドロール含有薬剤として、次のものを用いた。
薬剤１：セドロールを含有したヒノキ油を内包させたマイクロカプセルの分散液（セドロール含有量０．０３７％）（三木理研工業製の商品名「リケンレジンＮＦＨＯ−Ｗ−ＣＤ」）。
薬剤２：セドロールを含有したセダーウッドピュアオイル（ＮＯＷ  ＦＯＯＤＳ製の商品名「Ｃｅｄａｒｗｏｏｄ  Ｏｉｌ」）。
【００２５】
上記の平織物を、通常の条件で、セドロール含有薬剤１、２を、表１に示す割合で含有する水を溶媒とする加工液の処方（表１）を用いて、テンターを用いたパッド／ドライ加工を行った。絞り率は８０％、乾燥条件は１２０℃で６０秒であった。また、実施例５については、乾燥の後、さらに、ベーキング（１５０℃、２分）を行った。このようにして、実施例１〜５の繊維構造物を得た。そして、この繊維構造物を、枕カバーとして、用いた。
尚、セドロール含有薬剤２を使用する際には、乳化分散剤を適宜加えて、薬剤２を十分に乳化させ、加工水溶液として使用可能な状態とする。乳化分散剤は、特に限定されないが、本実施例では、日華化学製の試作品「Ｔ−２００」を用いた。
また、樹脂加工剤（バインダー）として、共栄社化学製の「ライトエポックＴ−２３Ｍ」を用いた。
【００２６】
実施例１〜４について、睡眠改善効果が認められた。また、実施例５については、睡眠改善効果とともに、洗濯耐久性が認められた。
【００２７】
【表１】
2004204421.tif 000002
【００２８】
［実施例６、７］
試料繊維（生地）として、綿１００％の５０番平織物（経糸密度１４８本／インチ、緯糸密度８０本／インチ）を用いた。
また、セドロール含有薬剤として、次のものを用いた。
薬剤３：セドロール（純度９５％以上）。
薬剤４：セドロールを２０％担持した多孔質微粒子の２０％分散剤（試作品）。
【００２９】
上記の平織物を、通常の条件で、セドロール含有薬剤３、４を、表２に示す割合で含有する水を溶媒とする加工液の処方を用いて、テンターを用いたパッド／ドライ加工を行った。絞り率は７０％、乾燥条件は１２０℃で６０秒であった。このようにして、実施例６、７の繊維構造物を得た。尚、樹脂加工剤（バインダー）として、共栄社化学製の「ライトエポックＴ−２３Ｍ」を用いた。
そして、この繊維構造物の未洗濯時と洗濯５回後からの揮発量を測定した。測定の結果を表３に示す。尚、揮発量の測定方法を以下に示す。
【００３０】
［セドロールの揮発量測定方法］
実施例の生地試料２０×２０ｃｍを２リットルバッグに入れ、ポンベエアーを注入し、３０℃で１時間放置した後、ガスクロマトグラフにて分析する。
【００３１】
【表２】
2004204421.tif 000003
【００３２】
【表３】
2004204421.tif 000004
【００３３】
表３に示された結果から、実施例６、７について、常温でのセドロールの揮発が認められた。また、実施例７では、実施例６よりもセドロール使用量が少ないにもかかわらず、セドロールの揮発量が多くなった。このことから、実施例７の方法（セドロールを多孔質微粒子に担持したものを用いる方法）は、より少ない量で、安価で効率的にセドロールの鎮静効果や睡眠改善効果を発揮できることが分かった。また、更に実施例７は、洗濯後でもセドロールの揮発が確認でき、洗濯耐久性を付与できることが分かった。